(57)【要約】【課題】  緊急スイッチの配置位置を迅速に把握し、緊急時（災害発生時）の情報を的確に遠隔地に伝えることができるファクシミリ装置を提供する。【解決手段】  発光機能を有する緊急スイッチ１１と、照明が消灯しているかどうかを検知する光検知センサ１２と、光検知センサ１２の検出結果に基づいて照明が消灯していると判別した場合に、緊急スイッチ１１を発光させる制御を行うシステム制御部１０とを備えるようにした。【選択図】        図１
2005333562.tif 000002
【特許請求の範囲】
【請求項１】
発光機能を有する緊急スイッチと、照明が消灯しているかどうかを検知する光検知センサと、前記光検知センサの検出結果に基づいて照明が消灯していると判別した場合に、前記緊急スイッチを発光させる制御を行うシステム制御とを備えたことを特徴とするファクシミリ装置。
【請求項２】
前記緊急スイッチはブザー鳴動機能を有し、前記システム制御部は、前記光検知センサの検出結果に基づいて照明が消灯していると判別した場合に、前記緊急スイッチのブザーを鳴動させる制御を行うことを特徴とする請求項１記載のファクシミリ装置。
【請求項３】
前記システム制御部は、前記光検知センサの検出結果に基づいて照明が点灯している判別した場合、前記緊急スイッチが発光しているときは、その発光を停止する制御を行うことを特徴とする請求項１記載のファクシミリ装置。
【請求項４】
前記システム制御部は、前記光検知センサの検出結果に基づいて照明が点灯している判別した場合、前記緊急スイッチが発光しているときは、その発光を停止する制御を行うと共に、前記ブザーが鳴動しているときは、そのブザーの鳴動を停止する制御を行うことを特徴とする請求項２記載のファクシミリ装置。
【発明の詳細な説明】
【技術分野】
【０００１】
本発明は、ファクシミリ装置に係り、例えば災害発生時などに好適なものである。
【背景技術】
【０００２】
最近のファクシミリ装置においては、緊急時などに特定の情報を特定の宛先に対して簡単に送信することができるものが提案されている（特許文献１）。
【特許文献１】特開平５−２８４３２３号公報
【発明の開示】
【発明が解決しようとする課題】
【０００３】
しかし、災害が発生した時、人間は操作する余裕がない状態に陥ることがよくあり、ファクシミリ装置の緊急スイッチの場所が分からず、その情報を他の場所に知らせるのが遅れるという問題があった。
本発明は、緊急スイッチの配置位置を迅速に把握し、緊急時（災害発生時）の情報を的確に遠隔地に伝えることができるファクシミリ装置を提供することを目的とする。
【課題を解決するための手段】
【０００４】
上記目的を達成するために、請求項１記載の発明は、発光機能を有する緊急スイッチと、照明が消灯しているかどうかを検知する光検知センサと、前記光検知センサの検出結果に基づいて照明が消灯したと判別した場合に、前記緊急スイッチを発光させる制御を行うシステム制御とを備えたことを特徴とする。
請求項２記載の発明は、前記緊急スイッチはブザー鳴動機能を有し、前記システム制御部は、前記光検知センサの検出結果に基づいて照明が消灯したと判別した場合、前記緊急スイッチのブザーを鳴動させる制御を行うことを特徴とする。
請求項３記載の発明は、前記システム制御部は、前記光検知センサの検出結果に基づいて照明が点灯している判別した場合、前記緊急スイッチが発光しているときは、その発光を停止する制御を行うことを特徴とする。
請求項４記載の発明は、前記システム制御部は、前記光検知センサの検出結果に基づいて照明が点灯している判別した場合、前記緊急スイッチが発光しているときは、その発光を停止する制御を行うと共に、前記ブザーが鳴動しているときは、そのブザーの鳴動を停止する制御を行うことを特徴とする。
【発明の効果】
【０００５】
本発明では、例えば災害などの緊急事態が発生して照明が消灯した場合でも、緊急スイッチの位置が分かるため、ユーザが緊急スイッチを容易に操作することが可能になるので、緊急事態の発生を迅速に遠隔地に伝えることができる。また照明が点灯している場合、緊急スイッチが発光していたり、ブザーが鳴動していたりするときは、自動的に緊急スイッチの発光やブザーの鳴動を停止させることができるので自動的に次の緊急事態に備えることができる。
【発明を実施するための最良の形態】
【０００６】
以下、本発明の実施の形態を図面に従って説明する。
図１は本発明の実施の形態に係るファクシミリ装置の機能ブロック図である。
この図１において、スキャナ１は、原稿画像を読み取って、画情報を取り出すようにされる。プロッタ２は、画情報を記録紙に記録する。
符号化復号化部３は、送信する画情報の符号化および受信した画情報の復号化を行うようにされる。画像メモリ４は、画情報を一時記憶する。網制御部５は、回線の補足、発信先電話番号である選択信号の送出、着信の検出などにより、所定の発呼動作および着信動作を行うようにされる。
モデム６は、画情報を変復調して伝送すると共に、伝送制御手順における各種手順信号を伝送するようにされる。通信制御部７は、網制御部５やモデム６を制御して所定の伝送制御手順により、ファクシミリ伝送を実行するようにされる。
操作表示部８は、操作ガイダンス等を表示し、そのガイダンスに従って、当該ファクシミリ装置に所定の送受信処理を実行させるための各種操作を行うようにされる。システムメモリ９は、送信処理毎に、日時、送信相手先、送信原稿の枚数、送信結果などを記憶する一方、送信結果レポートの項目情報など固定的な各種情報を記憶するようにされる。
システム制御部１０は、マイクロコンピュータシステムから構成され、上記各部を制御して、このファクシミリ装置の所定の動作を実行するようにされる。緊急スイッチ１１は、緊急の機能を働かせるスイッチであり、発光機能とブザー鳴動機能を有するものとされる。このような緊急スイッチ１１をユーザが押下した場合は、予めメモリなどに登録されている原稿情報を特定の宛先に自動送信するためのスイッチとされる。光検知センサ１２は、例えば災害などの緊急事態が発生した時に照明が消えているかを検知するようにされる。
【０００７】
図２は、本実施の形態に係るファクシミリ装置において、原稿送信を行うときの処理を示したフローチャートである。
本実施の形態に係るファクシミリ装置においては、原稿を送信する場合は、スキャナ１に送信原稿がセットされ（Ｓ１）、操作表示部８で宛先入力が行われた後（Ｓ２）、スタートボタンが押されると（Ｓ３）、システム制御部１０の制御のもとでスキャナ１により原稿の読み取りを行って、画像メモリ４に転送する（Ｓ４）。次いで網制御部５により回線接続させて発呼動作を実行させ（Ｓ５）、送信相手先ファクシミリ装置を呼び出すようにする。そして、相手先が応答すると、モデム６、通信制御部７により所定の伝送手順を開始させるように制御を行う。これにより、送信データが画像メモリ４から符号化復号化部３に転送され、送信制御部７を通り、モデム６を経由し、網制御部５から回線に送出するようにしている（Ｓ６）。そして送信が終了したら処理を終えることになる。
図３は本実施の形態に係るファクシミリ装置の初期設定時の処理を示したフローチャート、図４は初期設定の内容例を示した図、図５は使用しない時間の登録例を示した図である。
図３に示すように、本実施の形態に係るファクシミリ装置においては、まず、例えば図４に示すような各種内容の初期設定が行われ（Ｓ１１）、さらに図５に示すように当該ファクシミリ装置を使用しない時間の設定が行われる（Ｓ１２）。
この例では、使用しない時間として、例えば１８：００〜８：３０が登録されている。これにより、光検知センサがオンの時に緊急スイッチを有効にするようにしている。
図６は、光検知センサＯＮ時の第１の処理例を示したフローチャートである。
この場合、照明が消えて光検知センサ１２がＯＮになると処理を開始し、まず光検知センサ１２がＯＮした時間が、予め登録したファクシミリ装置を使用しない時間かどうかの判別を行い（Ｓ２１）、使用しない時間ならばそのまま終了する。これに対して使用する時間ならば、緊急スイッチ１１の照明を点灯して（Ｓ２２）処理を終了する。
【０００８】
図７は、光検知センサＯＮ時の第２の処理例を示したフローチャートである。
この場合も、照明が消えて光検知センサ１２がＯＮになると処理を開始し、まず光検知センサ１２がＯＮした時間が、予め登録したファクシミリ装置を使用しない時間かどうかの判別を行い（Ｓ３１）、使用しない時間ならばそのまま終了する。これに対して、使用する時間ならば緊急スイッチ１１の照明を点灯し（Ｓ３２）、さらにブザーを鳴動して（Ｓ３３）処理を終了する。
次に、図８は光検知センサＯＦＦ時の第１の処理例を示したフローチャートである。
この場合、照明が点灯して光検知センサ１２がＯＦＦすると処理を開始し、まず、緊急スイッチ１１が使用中かどうかの判別、つまり緊急スイッチ１１の照明（発光）がオンしているかどうかの判別を行う（Ｓ４１）。そして、緊急スイッチ１１の照明（発光）がオンでなければ処理を終了する。これに対して、緊急スイッチ１１の照明（発光）だけがオンの場合は、緊急スイッチ１１の照明（発光）を消灯して（Ｓ４２）処理を終了する。また、緊急スイッチ１１の照明（発光）と共にブザーが鳴動している場合は、緊急スイッチ１１の照明（発光）を消灯した後（Ｓ４２）、ブザー鳴動を停止して（Ｓ４３）処理を終了する。
図９は、光検知センサＯＦＦ時の第２の処理例を示したフローチャートである。
この場合も照明が点灯して光検知センサ１２がＯＦＦすると処理を開始し、まず、緊急スイッチ１１が使用中かどうかの判別、つまり緊急スイッチ１１の照明（発光）がオンしているかどうかの判別を行う（Ｓ５１）。そして、緊急スイッチ１１の照明（発光）がオンでなければ処理を終了する。これに対して、緊急スイッチ１１の照明（発光）がオンのときは、緊急スイッチ１１の照明（発光）を消灯する（Ｓ５２）。次に、操作表示部８に設けられているストップスイッチが押されたかどうかの判別を行い（Ｓ５３）、ストップスイッチが押さたときに、ブザー鳴動を停止して（Ｓ５４）処理を終了する。この場合、ステップＳ５３においてはストップスイッチが押されるまでストップスイッチを監視する。
【図面の簡単な説明】
【０００９】
【図１】本発明の実施の形態に係るファクシミリ装置の機能ブロック図。
【図２】本実施の形態に係るファクシミリ装置において、原稿送信を行うときの処理を示したフローチャート。
【図３】本実施の形態に係るファクシミリ装置の初期設定時の処理を示したフローチャート。
【図４】初期設定の内容を示す図。
【図５】使用しない時間の登録例を示す図。
【図６】光検知センサＯＮ時の第１の処理例を示したフローチャート。
【図７】光検知センサＯＮ時の第２の処理例を示したフローチャート。
【図８】光検知センサＯＦＦ時の第１の処理例を示したフローチャート。
【図９】光検知センサＯＦＦ時の第２の処理例を示したフローチャート。
【符号の説明】
【００１０】
８  操作表示部、１０  システム制御部、１１  緊急スイッチ、１２  光検知センサ
【図１】
2005333562.tif 000003
【図２】
2005333562.tif 000004
【図３】
2005333562.tif 000005
【図４】
2005333562.tif 000006
【図５】
2005333562.tif 000007
【図６】
2005333562.tif 000008
【図７】
2005333562.tif 000009
【図８】
2005333562.tif 000010
【図９】
2005333562.tif 000011